(57)【要約】【課題】視聴制限をかけるための設定情報のデータを記憶する放送受信装置において、不揮発性メモリの容量の増加を抑制する。【解決手段】  放送受信装置は、チューナ部、ＯＳＤ合成部、Ｄ／Ａ変換器、制御部を備える。チューナ部のシステムデコーダは、放送番組情報のデータであるＥＩＴを制御部に出力する。制御部は、ＥＩＴに基づいてＥＰＧを作成し、ＯＳＤ合成部は、制御部のコマンドを受けて、ＥＰＧを出力する。制御部のＲＯＭには、サムネイル動画録画処理、放送番組表示処理、削除処理を行うためのサブルーチンを記憶している。サムネイル動画録画処理は、予め定期的にサムネイルの動画を放送番組の冒頭で録画する。放送番組表示処理は、先週の放送番組と同じチャンネル、同じ曜日、ほぼ同じ時刻、名称の放送番組を検索して、表示する。削除処理は、サムネイル動画録画処理７２３で録画した録画データのうち時間が経過して不要なものを削除する。【選択図】図３
2008270872.tif 000002
【特許請求の範囲】
【請求項１】
所定チャンネルの放送番組を受信する放送受信装置において、
前記受信することができる全てのチャンネルまたは予め定めたチャンネルの、全時間帯または予め定めた時間帯の放送番組各々を部分的に受信すると共に、該放送番組に関連する放送番組情報を各々受信する受信手段と、
前記受信手段により前記部分的に受信した放送番組各々をサムネイル動画として録画すると共に、前記サムネイル動画と関連する放送番組情報を併せて記録するサムネイル動画録画手段と、
放送番組の情報の一覧である電子番組表のデータを受信して、これを出力する電子番組表出力手段と、
前記電子番組表から放送番組の選択を受け付け、選択されている放送番組の欄にハイライト表示を出力する選択手段と、
前記サムネイル動画として録画した放送番組の中から、前記選択された放送番組と、チャンネル、曜日が同一で、かつ、名称、放送時刻が略同一の放送番組の検索を行う検索手段と、
前記検索手段が検索した放送番組のサムネイル動画を、前記ハイライト表示された放送番組の欄または前記電子番組表の外側の位置に動画で再生する再生手段と、を備えた放送受信装置。
【請求項２】
前記検索手段は、前記選択された放送番組のみならず、前記電子番組表に表示する各番組それぞれについても前記放送番組の検索を行い、
前記再生手段は、前記選択された放送番組以外の放送番組については、前記電子番組表の各欄に、前記検索手段により各々検索した放送番組をサムネイル静止画像として再生する請求項１に記載の放送受信装置。
【請求項３】
前記サムネイル動画録画手段は、前記録画するための記憶容量に残量があり、かつ、前記録画しようとする放送番組の録画が禁止されていない場合に限り、前記放送番組を録画する請求項１〜２のいずれかに記載の放送受信装置。
【請求項４】
前記サムネイル動画録画手段は、（Ａ）前記放送番組を録画した日から１週間が経過し、かつ、前記放送番組を録画するための記憶容量が所定容量未満であることを条件に、前記サムネイル静止画またはサムネイル動画として録画した放送番組を削除する請求項１〜３のいずれかに記載の放送受信装置。
【請求項５】
前記サムネイル動画録画手段は、ハードディスクに前記サムネイル静止画像または前記サムネイル動画を録画する請求項１〜４のいずれかに記載の放送受信装置。
【発明の詳細な説明】
【技術分野】
【０００１】
本発明は、放送番組と番組情報を受信して番組情報を表示する放送受信装置に関する。
【背景技術】
【０００２】
従来より、ＥＰＧ（Electronic Program Guide、電子番組表）を出力するデジタル放送受信装置が実用化されている。デジタル放送は、複数の放送がパケット化されたＴＳ（トランスポーストリーム）の形で伝送されており、これらのパケットのうちいずれかは、ＰＳＩ(Program Specific Information、番組特定情報)またはＳＩ（Service Information）が伝送されている。ＰＳＩ／ＳＩの中には、ＥＩＴ（EventInformation Table)が含まれている。番組の名称や放送日時、放送内容など、番組に関連する情報が含まれる。ＥＰＧは主にＥＩＴを用いて作成される。このＥＩＴには、これから受信する放送番組の情報が最大約３時間分含まれている。
【０００３】
また、ＥＰＧを表示して、ＥＰＧから番組を選択して、ユーザから録画の指示を受け付ける機能を備えるＤＶＤレコーダなどの録画装置が実用化されている。この機能によれば、開始時刻、終了時刻、放送チャンネルを指定しなくても、番組を録画することができる。
【０００４】
また、特許文献１〜３には、サムネイル画像つきの放送番組表を表示する構成の開示がある。特許文献１には、カーソルで指定された番組が将来放送される放送番組であれば、詳細情報を表示する旨の記載がある。特許文献２には、放送番組予約中のものがあれば、サムネイル画像を薄くするなどの改変を行う旨の記載がある。特許文献３には、録画した後に表示されるサムネイル画像を、録画開始時刻からどの時間の画像とするかをユーザが調整できる旨の記載がある。
【特許文献１】特開平９−３７１８０号公報
【特許文献２】特開２００３−１０１９１６公報
【特許文献３】特開２００４−３３６４４３公報
【発明の開示】
【発明が解決しようとする課題】
【０００５】
しかしながら、サムネイルの静止画つきの電子番組表を表示してもなお、放送番組の内容が把握しにくい問題があった。静止画であれば、その放送番組を示すのに必ずしも的確でなかった。
【０００６】
そこで、放送番組の内容を容易に把握できる放送受信装置を提供することを目的とする。
【課題を解決するための手段】
【０００７】
本発明は、上述の課題を解決するための手段を以下のように構成している。
【０００８】
（１）  所定チャンネルの放送番組を受信する放送受信装置において、
前記受信することができる全てのチャンネルまたは予め定めたチャンネルの、全時間帯または予め定めた時間帯の放送番組各々を部分的に受信すると共に、該放送番組に関連する放送番組情報を各々受信する受信手段と、
前記受信手段により前記部分的に受信した放送番組各々をサムネイル動画として録画すると共に、前記サムネイル動画と関連する放送番組情報を併せて記録するサムネイル動画録画手段と、
放送番組の情報の一覧である電子番組表のデータを受信して、これを出力する電子番組表出力手段と、
前記電子番組表から放送番組の選択を受け付け、選択されている放送番組の欄にハイライト表示を出力する選択手段と、
前記サムネイル動画として録画した放送番組の中から、前記選択された放送番組と、チャンネル、曜日が同一で、かつ、名称、放送時刻が略同一の放送番組の検索を行う検索手段と、
前記検索手段が検索した放送番組のサムネイル動画を、前記ハイライト表示された放送番組の欄または前記電子番組表の外側の位置に動画で再生する再生手段と、を備えた。
【０００９】
この構成では、サムネイル動画手段がサムネイル動画を予め録画している。検索手段は、選択手段で選択された電子番組表中の放送番組につき略同一内容の放送番組を検索している。再生手段は、この検索した放送番組を動画で再生している。したがって、ユーザは、先週の略一致する内容の放送番組を基にして、容易に放送番組の内容を把握できる。
【００１０】
（２）  前記検索手段は、前記選択された放送番組のみならず、前記電子番組表に表示する各番組それぞれについても前記放送番組の検索を行い、
前記再生手段は、前記選択された放送番組以外の放送番組については、前記電子番組表の各欄に、前記検索手段により各々検索した放送番組をサムネイル静止画像として再生する。
【００１１】
この構成では、前記選択された放送番組のみならず、前記電子番組表に表示する各番組それぞれについても前記放送番組の検索を行う。再生手段が、サムネイル動画として録画した放送番組のうち、サムネイル静止画像として再生するから、選択されていない放送番組は詳細に、選択されていない放送番組については簡易に、その内容を表示することができる。
【００１２】
（３）  前記サムネイル動画録画手段は、前記録画するための記憶容量に残量があり、かつ、前記録画しようとする放送番組の録画が禁止されていない場合に限り、前記放送番組を録画するようにしてもよい。
【００１３】
例えば、録画が禁止されているとは、ペアレンタルロック、著作権の関係などが挙げられる。
【００１４】
（４）  前記サムネイル動画録画手段は、（Ａ）前記放送番組を録画した日から１週間が経過し、かつ、前記放送番組を録画するための記憶容量が所定容量未満であることを条件に、前記サムネイル静止画またはサムネイル動画として録画した放送番組を削除するようにしてもよい。
【００１５】
累積していく録画したデータを整理するために、１週間過ぎると、先週以前の放送については、サムネイル動画使用されない可能性が高い。そこで、記憶容量が所定容量未満である場合には、これを削除してもよい。
【００１６】
（５）  前記サムネイル動画録画手段は、ハードディスクに前記サムネイル静止画像または前記サムネイル動画を録画するものとしてよい。
【発明の効果】
【００１７】
本発明の放送受信装置によれば、予め録画したサムネイル動画を使って、放送番組の内容を表示するので、放送番組の内容を容易に把握できる。
【発明を実施するための最良の形態】
【００１８】
図１を用いて、本実施形態のＤＶＤレコーダ１の構成について説明する。ＤＶＤレコーダ１は、デジタル放送を受信して、受信した番組を録画する録画装置である。
【００１９】
ＤＶＤレコーダ１は、チューナ部２と、録画部３、Ｄ／Ａ変換器６１、６２と、ＯＳＤ（On-Screen Display）合成部５、Ｄ／Ａ変換器６１，６２、制御部７、リモコン受光部８を備える。またＤＶＤレコーダ１の外部に、リモコン８０、表示器１０２を備える。
【００２０】
アンテナ１０１は、電波を受信する。チューナ部２（本発明のチューナ部に相当する。）は、チューナ２０、ＴＶデコーダ２５、を備えている。チューナ２０は、不揮発性メモリ、チューナパック、地上デジタルモジュール、テレビデコーダ２５、システムデコーダ２６を備えている。
【００２１】
不揮発性メモリは、チューナ２０が選局するための選局マップを記憶している。選局マップには、各チャンネルを選局するためのチャンネル情報が登録されている。選局マップは、制御部７による図示しないオートプリセット処理により、仮想チャンネルの割り当てをする。通常は、オートプリセット処理は、ＤＶＤレコーダ１の使用開始時に、ユーザにより実行され、チューナ部２内の図示しない不揮発性メモリのチャンネルマップにチャンネル情報が登録される。
【００２２】
チューナパックは、ＩＦフィルタと、ＩＦアンプ等とを備えている。ＩＦフィルタ（intermediate frequency）は所定の物理チャンネルの信号を通す。このとき、チューナパック２１は、チューナ部２内の不揮発性メモリの選局マップを参照する。したがって、チューナ２０は、チャンネルマップ内に登録したチャンネルしか選局できない。
【００２３】
ＩＦアンプは、ＩＦフィルタから出力された信号を増幅する。これらの構成により、チューナ部２１は、チャンネルの放送信号を抽出し、地上デジタルモジュール２２に出力する。
【００２４】
地上デジタルモジュールは、復調回路、誤り訂正回路、マルチプレクサ、バッファメモリを備えている。復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。
【００２５】
ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００２６】
また、ＴＳには、ＰＳＩ(Program Specific Information、番組特定情報)またはＳＩ（Service Information）のパケットが含まれている（以下、ＰＳＩ／ＳＩと表記する）。デマルチプレクサは、ＴＳからＰＳＩ／ＳＩを分離して、バッファメモリは、これを記憶する。
【００２７】
ＴＶデコーダ２５は、チューナ２０内のバッファメモリが記憶するデータを適宜読み出す。そして、読み出したデータから映像データと音声データとを分離する。また、ＴＶデコーダ２５は、映像データと音声データを伸長し、出力する。
【００２８】
システムデコーダ２６は、デマルチプレクサが分離したＰＳＩ／ＳＩのパケットをデコードする。ＰＳＩ／ＳＩの中には、ＥＩＴ(EventInformation Table)が含まれている。ＥＩＴには、番組の名称や放送日時、放送内容など、受信できる番組に関連する情報が含まれる。ＥＩＴは、今後放送される最大３時間程度の放送番組情報が含まれている。システムデコーダ２６は、これらのＥＩＴ、ＲＲＴの情報を制御部７に出力する。
【００２９】
録画部３２は、放送番組を録画するための構成として、エンコーダ、ＨＤＤ（ハードディスクドライブ）、ＨＤ（ハードディスク）、デコーダを備える。エンコーダは、ＴＶデコーダ２５から出力した映像信号を入力してエンコードする。例えば、ＭＰＥＧ形式にエンコードできる。ＨＤＤは、ＨＤをドライブする。ＨＤは、エンコードされた映像信号を記録する。ここで、放送番組の映像信号を記録することを「放送番組を録画する」、または「放送番組の録画」という。
【００３０】
ＯＳＤ合成部５は、ＤＶＤレコーダ１の各種設定を表示するための文字図形の映像信号を出力する。ＯＳＤ合成部５は、ＯＳＤ画像メモリを備えており、制御部７から与えられるコマンドに基づいて、このＯＳＤ画像メモリが記憶している文字又は図形の映像信号を生成し、出力する。また、ＴＶデコーダ２５または録画部３２内のデコーダから映像信号が出力されている場合には、ＯＳＤ合成部５は、この映像信号を合成する。また、ＯＳＤ合成部５がＥＰＧを表示する場合は、ＯＳＤ合成部５は、これらのデコーダから出力された映像信号を表示せず、ＥＰＧの画像を合成して表示する。
【００３１】
なお、ＯＳＤ合成部５は、制御部７と合体したシステムＩＣで構成してもよい。また、チューナ部２にＯＳＤ合成部５を設けて、図示しないチューナ部２を制御するマイコンと合体したシステムＩＣで構成してもよい。
【００３２】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５またはデコーダ３３から出力された音声信号をアナログの音声信号に変換し、スピーカ１０３に出力する。
【００３３】
制御部７は、マイコンで構成し、ＣＰＵ、制御部７内のサブプログラムを格納するＲＯＭ（不図示）、制御部７の計算結果を一時的に記憶するＲＡＭ７３を備え、ＤＶＤレコーダ１内の各部を制御する。
【００３４】
また、制御部７は、サムネイル動画録画処理７２３、放送番組表示処理７２４、削除処理７２５を行うためのサブルーチンをＲＯＭ内に記録している。また、制御部７は、システムデコーダ２６から入力したＥＩＴを主に用いてＥＰＧ（Electronic Program Guide、電子番組表）を作成する。
【００３５】
リモコン受光部８はリモコンからの赤外信号を受け付ける。操作部８は、制御部７を操作するための制御入力を受け付ける。ＤＶＤレコーダ１またはリモコンの操作子が押下げられると、所定の制御入力が制御部７に入力される。
【００３６】
なお、この実施形態ではＤ／Ａ変換部６１、６２を設けているが、外部にデジタル信号対応のテレビジョンを接続する場合は、Ｄ／Ａ変換部６１、６２を設ける必要はない。また、この実施形態では、アンテナ１０１から受信しているが、ケーブルテレビ送信網を通じて受信するものでも良い。
【００３７】
次に、図２のフロー図を用いて、本実施形態のサムネイル動画録画処理７２３が行う録画処理について説明する。この処理は、放送番組表示処理７２４で表示する電子番組表に表示するサムネイル画像を動画で示すための予備的処理を表わしている。現在、将来放送される番組と、すでに放送された放送番組は異なるが、周期的に放送される放送番組であれば、内容が類似しているから、番組の内容を放送番組の内容が把握しやすくなる。そこで、以下の処理を行う。
【００３８】
ＳＴ１では、現在の時刻が、受信できる放送番組のうちのいずれかが放送開始時刻か判断し、放送開始時刻になるまでは（ＳＴ１のＮＯ）、この処理は待機状態となる。放送開始時刻になれば（ＳＴ１のＹＥＳ）、ＳＴ２へ移動する。ＳＴ１の判断は、例えば、ＥＰＧのデータのうち今後放送される番組を予め検索し、その検索した番組が放送時刻になるとタイマー割り込みを生じさせるようにすることができる。
ＳＴ２では、現在録画可能な状態かどうか判断する。録画可能な状態とは、以下の状態（Ａ）〜（Ｃ）をいずれも満たす場合をいう。
【００３９】
（Ａ）サムネイル動画録画処理７２３のために使用する録画部３２内の記憶媒体、例えばハードディスクが、録画できる状態であること。例えば、ほかの録画処理がユーザの指示により、行われて、その記憶媒体にアクセスできない状態でないこと。
（Ｂ）サムネイル動画録画処理７２３のために使用する録画部３２内の記憶媒体、例えば、ハードディスクの残量があること。
（Ｃ）著作権保護等の関係で、録画禁止の映像でないこと。
【００４０】
ＳＴ２で、以上（Ａ）〜（Ｃ）を判断し、録画可能な状態になるまで（ＳＴ２のＮＯ）待機する。録画可能な状態になれば、すなわち（Ａ）〜（Ｃ）をすべて満たせば（ＳＴ２のＹＥＳ）、ＳＴ３へ移動する。
【００４１】
ＳＴ３で、後の処理で、サムネイルで表示するために録画する。このＳＴ３の録画時間は、サムネイルとして表示するものであるから、例えば、１分ほどでよい。
【００４２】
ＳＴ４で、ＳＴ３の録画が終了したかどうか判断する。この判断は、実装上、例えばタイマー割り込みに基づいて終了させてもよい。ＳＴ３の録画が終了すれば（ＳＴ４のＹＥＳ）、ＳＴ５で、録画を終了する。ＳＴ５までのフローで録画する際に、放送番組の名称と同時に録画部３２の記録部に記録するようにする。
【００４３】
また、ＳＴ１に合致する放送番組が複数あれば、ＳＴ２〜ＳＴ５のフローを繰り返し、ＳＴ２に合致する放送番組を順番に選局して録画する。また、以上のフローは、定期的に、例えば５分または１０分おきにタイマー割り込みで繰り返すようにしてもよいし、ＥＰＧのデータを参照して、録画開始時刻になると、以上のフローを実行する割り込み処理をしてもよい。
【００４４】
なお、以下では、図２のフローのように録画して、放送番組の一部を部分的に録画したものをサムネイル動画と称する。
【００４５】
図３〜図５を用いて、放送番組表示処理７２４による表示例について説明する。リモコン８０の所定の操作により、リモコン受光部８が所定の信号を受信すると、図３~図５のようにチャンネルＣＨ１〜ＣＨ４（横軸）と、時刻（縦軸）をマトリクス状に表わしたＥＰＧを表示する。なお、図３~図５のそれぞれの外枠は画面の外枠を表わしている。
【００４６】
図３の例では、ＥＰＧ９１の中で、カーソルキー８１により、放送番組が選択できるようにする。すなわち、カーソルキー８１のキー入力を受ける度に、ハイライトを施した部分を移動させる。ハイライトは、太字にするか点滅にするなど、現在選択されていることが分かるように表示する。また、現在選択されている放送番組（ハイライトに表示されている放送番組のことをいう。以下同じ。）については、ＥＰＧ９１の外側に、サムネイル動画録画処理７２３により先週録画したサムネイル動画５２を表示する。ここで、表示するサムネイル動画５２は、先週放送された放送番組で、略同じ内容のものとする。略同じ内容であるものを検索するには、具体的には、ＥＰＧ９１のデータと、サムネイル動画録画処理７２３で録画した放送番組とを比較して、同じチャンネルであって、かつ、先週と略同じ時間帯、同じまたは類似の名称の放送番組である場合であるものを選択する。このように検索したものをＥＰＧ９１と併せて表示することで、先週の放送番組を手がかりに、ユーザに放送番組の内容を動画で示すことができる。また、選択された放送番組の情報５３を表示するようにしてもよいが、必須ではない。なお、図３の例では、ＥＰＧ９１内にサムネイル画像を表示しない。
【００４７】
図４の表示例では、ＥＰＧ９２の内側に、サムネイル画像５４１〜５４８、動画５５を表示する。ＥＰＧ９２の外側にサムネイル動画５１を表示しない。サムネイル画像５４１〜５４５は、図３の例と同様、ＥＰＧ９２のデータと、サムネイル動画録画処理７２３で録画した放送番組の名称を比較して、先週の同じ時間帯、同じチャンネルであって、同じまたは類似の名称の放送番組である場合に限定するものとする。
【００４８】
また、サムネイル画像５４１〜５４７として表示するためのデータは、静止画とする。サムネイル動画録画処理７２３で録画したサムネイル動画を例えば、ＭＰＥＧ形式とすれば、この静止画をＭＰＥＧのＩピクチャーを抽出したものとすることができる。どの部分のＩピクチャーを抽出するかについては、例えば、録画データのうちの冒頭のＩピクチャーとすることができる。また、サムネイル動画のうちの途中のＩピクチャーを選択する操作をユーザから受け付けて、途中の場面を表示するようにしてもよい。
【００４９】
また、カーソルキー８１の操作により、ハイライト５２１を移動させた場合には、動画５５を静止画にする。例えば、カーソルキー８１が押される直前の静止画をＩピクチャーで表示する。一方、新たにカーソルキー８１が押された部分については、サムネイル動画の静止画が表示されているコマから、サムネイル画像で抽出した録画データの再生を開始する。
【００５０】
選択されていない部分については静止画でサムネイル画像５４１〜５４７を表示するから、静止画でおよその放送番組内容を把握できる。また、選択されている部分（ハイライト５２１の部分）には、縮小した動画５５を表示する。また、選択されている部分では、動画を表示するから、より詳細な放送番組情報を提供することができるので、ユーザは、番組の内容をより容易に把握できる。
【００５１】
図５の例では、図３で示した動画５２に加え、図４で示したサムネイル画像５４１〜５４７を表示する。このとき図４で示したようにＥＰＧの内側のハイライト部分についてもサムネイル動画を再生してもよい。
【００５２】
なお、図４、図５で示したサムネイル画像５４１〜５４７の数は、７個に限るものではない。すなわち、前述したように、先週の同じ時間帯、同じチャンネルであって、同じまたは類似の名称の放送番組が存在する数だけ表示する。
【００５３】
次に、図６のフロー図を用いて、放送番組表示処理７２４のフローについて説明する。ＳＴ１１で、ＥＰＧのうちの所定の放送番組を選択し、この放送番組と、サムネイル動画録画処理７２３で録画した放送番組の放送番組情報と、を比較して、チャンネル、曜日が同一で、時刻が略同一のサムネイル動画を検索する。
【００５４】
ここで、ＳＴ１１で選択する「所定の放送番組」とは、図３の表示例ではハイライトの部分の放送番組である。図４、図５の例では、各欄の放送番組のいずれかである。図４、図５の例では、サムネイル５４１〜５４５をそれぞれ表示するため、放送番組の枠の数だけ、図６のフロー全体を繰り返し実行する。
【００５５】
ＳＴ１２で、ＳＴ１１で検索したサムネイル動画が存在するかどうか判断する。ＳＴ１１で検索したサムネイル動画が存在しない場合には（ＳＴ２のＮＯ）、図６のフローは終了する。ＳＴ１１で検索したサムネイル動画が存在する場合には（ＳＴのＹＥＳ）、ＳＴ１３へ移動する。
ＳＴ１３で、ＳＴ１１で選択した放送番組の名称が、ＳＴ１１で検索した放送番組の名称ほぼ同一かどうか判断する。ここで、「ほぼ同一」とは、サムネイル動画録画処理７２３で録画した放送番組と、ＳＴ１で選択した放送番組の文字列とを比較して、同一のもの、および所定率（例えば、８０％以上）以上一致する場合をいう。また、このとき冒頭の主題のみを比較してもよい。冒頭の主題と副題との区別は、例えば、句読点、「シリーズ」などを区切りとして判断する。
【００５６】
ＳＴ１３の判断で、ＳＴ１１で検索した放送番組の名称がほぼ同一である場合には（ＳＴ１３のＹＥＳ）、ＳＴ１４に移動する。
【００５７】
ＳＴ１１で選択した放送番組の名称が、ＳＴ１１で検索した放送番組の名称がほぼ同一でない場合には（ＳＴ１３のＮＯ）、フローは終了する。
【００５８】
ＳＴ１４で、ＳＴ１１で検索した録画データをサムネイルの静止画、または動画で表示する。図３の例では、サムネイル動画５１の欄でこの録画データを動画として再生する。図４、図５の例では、ＥＰＧ９２、９３の内側の各欄に対応するサムネイル画像をこの各欄に合成して表示する。図４、図５のように表示するためには、画面に表示できる欄の数だけ、以上の図６のフローを実行する。
【００５９】
次に、図７のフロー図を用いて、削除処理７２５について説明する。この処理は、図６のフローの後処理である。すなわち、この処理は、サムネイル動画録画処理７２３で録画したデータにより、録画部３２内の、ハードディスク等の記録媒体がいっぱいにならないようにするための処理である。
【００６０】
ＳＴ２１で、サムネイル動画録画処理７２３で録画した後１週間経過したサムネイル動画が存在するかどうか判断する。サムネイル動画録画処理７２３で録画する際に、併せて録画した日付、時刻を記録しておき、この時刻と比較する。録画後１週間経過した場合には、１週間前に録画した放送番組と略同一の放送番組は終了しており、放送番組表示処理７２４で表示する必要がない。したがって、不要なデータとなっているから、これを判断する。サムネイル動画録画処理７２３で録画した後１週間経過した録画データが存在する場合には（ＳＴ２１のＹＥＳ）、ＳＴ２２へ移動して、この録画データを削除する。存在しない場合には（ＳＴ２１のＮＯ）、ＳＴ２３に移動する。
【００６１】
ＳＴ２３で、ハードディスク等の記憶媒体の容量が少ない場合には（ＳＴ２３のＹＥＳ）、ＳＴ２２で、録画後１週間経過しなくても、古い順から、録画データを削除する。
【００６２】
なお、ＥＰＧ９１〜９３としては、全チャンネルを表示してもよいし、予め選択を受け付けて、選択されたチャンネルを表示してもよい。ＥＰＧ９１〜９３で表示する時間帯についても、選択を受け付けて、その時間帯だけ表示するようにしてもよい。
【００６３】
また、ＥＰＧ上で、カーソルキー８１で放送番組を選択する場合に、なんらキーを押さなくても、デフォルトで所定の放送番組、例えば左上の放送番組が表示されるようにしてもよい。この場合には、当該デフォルトで表示される放送番組が、本発明にいう「選択手段」で「選択されている放送番組」に相当する。
【００６４】
また、録画部３２がＨＤ（ハードディスク）、ＨＤＤ（ハードディスクドライブ）を備えるとしたが、容量が十分であれば、ＤＶＤドライブ、光ディスクドライブ、フラッシュメモリ等ランダムアクセスできる媒体であれば何でもよい。
【図面の簡単な説明】
【００６５】
【図１】第１実施形態の放送受信装置の構成図
【図２】第１実施形態の放送受信装置の構成図
【図３】第１実施形態の放送受信装置の初期設定処理の例を表す図
【図４】第１実施形態の放送受信装置の受信制限処理のフロー図
【図５】第１実施形態の放送受信装置の表示処理時の画面表示例を表す図
【図６】第１実施形態の放送受信装置の表示処理時の放送番組表示処理のフロー
【図７】第１実施形態の放送受信装置の削除処理を表すフロー図
【符号の説明】
【００６６】
１−ＤＶＤレコーダ、  ２−チューナ部、  ２０−チューナ、  ２５−ＴＶデコーダ、
２６−システムデコーダ、  ３２−録画部、  ５−ＯＳＤ合成部、
５４１〜５４７−サムネイル画像、  ５５−サムネイル動画、
６１−Ｄ／Ａ変換器、  ６２−Ｄ／Ａ変換器、
７−制御部、  ７１−不揮発性メモリ、  ７２−ＲＯＭ、
７２３−サムネイル動画録画処理、  ７２４−放送番組表示処理、  ７２５−削除処理、
７３−ＲＡＭ、  ８−リモコン受光部、  ８０−リモコン、  ８１−カーソルキー、
８３−決定キー、  １０１−アンテナ、  １０２−表示器
【図１】
2008270872.tif 000003
【図２】
2008270872.tif 000004
【図３】
2008270872.tif 000005
【図４】
2008270872.tif 000006
【図５】
2008270872.tif 000007
【図６】
2008270872.tif 000008
【図７】
2008270872.tif 000009